(57)【特許請求の範囲】
【請求項１】
各々ディスプレイを備えた電子機器を複数備え、当該複数の電子機器どうしが接続されるとともに、当該複数の電子機器のうち少なくとも１つがインターネットを介してサーバに接続されるように成され、上記インターネットを介して上記サーバから取得した情報を上記複数の電子機器のディスプレイにそれぞれ表示させる画面表示制御システムであって、
上記複数の電子機器の何れかよりコンテンツの取得要求が発生されたときに、上記インターネットに接続可能に成された電子機器を介して、上記取得要求に係るコンテンツについて上記複数の電子機器においてそれぞれ表示すべき、同一のコンテンツであるが、表示主体が異なる互いに関連する情報である同種の情報をそれぞれ取得するための複数の取得要求をそれぞれサーバに送信することにより、当該同種の情報を上記サーバから取得する情報取得部と、
上記複数の電子機器が備える複数の情報表示部であって、各情報表示部が、上記情報取得部により取得された上記同種の情報の中から、自機器において表示すべき情報を取得して、当該自機器の上記ディスプレイに表示させる複数の情報表示部とを備えたことを特徴とする画面表示制御システム。
【請求項２】
上記情報取得部は、上記複数の電子機器においてそれぞれ表示すべき同種の情報を個別に上記サーバから取得し、
上記各情報表示部は、上記情報取得部により個別に取得された上記同種の情報の中から、上記自機器において表示すべき情報を取得して、上記自機器の上記ディスプレイに表示させることを特徴とする請求項１に記載の画面表示制御システム。
【請求項３】
上記複数の電子機器においてそれぞれ表示すべき同種の情報は、上記複数の電子機器において共通に表示される共通情報と、上記複数の電子機器においてそれぞれ個別に表示される個別情報とを含み、上記共通情報および上記個別情報を識別可能に成された統合情報であり、
上記情報取得部は、上記複数の電子機器の何れかより発生されたコンテンツの取得要求を上記サーバに送信することにより、当該取得要求に係るコンテンツについての上記共通情報と上記個別情報とを含んだ上記統合情報を上記サーバから取得し、
上記各情報表示部は、上記情報取得部により取得された上記統合情報の中から、上記自機器において表示すべき上記共通情報および上記個別情報を取得して、上記自機器の上記ディスプレイに表示させることを特徴とする請求項１に記載の画面表示制御システム。
【請求項４】
上記統合情報は、特定の表示テンプレートを示すＩＤコードと、上記共通情報および上記個別情報とにより構成され、
上記各情報表示部は、上記統合情報から上記ＩＤコードを抽出し、上記ＩＤコードにより特定される表示テンプレートをテンプレート記憶部から読み出して、当該表示テンプレートにより規定されるスタイルで上記共通情報および上記個別情報を貼り付けた表示画面を作成して、上記自機器の上記ディスプレイに表示させることを特徴とする請求項３に記載の画面表示制御システム。
【請求項５】
各々ディスプレイを備えた電子機器を複数備え、当該複数の電子機器どうしが接続されるとともに、当該複数の電子機器のうち少なくとも１つがインターネットを介してサーバに接続されるように成されたシステムにおいて、上記インターネットを介して上記サーバから取得した情報を上記複数の電子機器のディスプレイにそれぞれ表示させる画面表示制御方法であって、
上記複数の電子機器の何れかよりコンテンツの取得要求が発生されたときに、上記インターネットに接続可能に成された電子機器が、上記取得要求に係るコンテンツについて上記複数の電子機器においてそれぞれ表示すべき、同一のコンテンツであるが、表示主体が異なる互いに関連する情報である同種の情報をそれぞれ取得するための複数の取得要求をそれぞれサーバに送信することにより、当該同種の情報を上記サーバから取得する情報取得ステップと、
上記複数の電子機器の各々が、上記情報取得ステップで取得された上記同種の情報の中から、自機器において表示すべき情報を取得して、当該自機器の上記ディスプレイに表示させる情報表示ステップとを有することを特徴とする画面表示制御方法。
【請求項６】
上記複数の電子機器においてそれぞれ表示すべき同種の情報は、上記複数の電子機器において共通に表示される共通情報と、上記複数の電子機器においてそれぞれ表示される個別情報とを含み、上記共通情報および上記個別情報を識別可能に成された統合情報であり、
上記情報取得ステップでは、上記複数の電子機器の何れかより発生されたコンテンツの取得要求を上記サーバに送信することにより、当該取得要求に係るコンテンツについての上記共通情報と上記個別情報とを含んだ上記統合情報を上記サーバから取得し、
上記情報表示ステップでは、上記複数の電子機器の各々が、上記情報取得ステップで取得された上記統合情報の中から、上記自機器において表示すべき上記共通情報および上記個別情報を取得して、上記自機器の上記ディスプレイに表示させることを特徴とする請求項５に記載の画面表示制御方法。
【発明の詳細な説明】
【技術分野】
【０００１】
本発明は、画面表示制御システムおよび画面表示制御方法に関し、特に、複数のディスプレイ（画面）に対して同種の情報を表示するための制御を行うシステムに用いて好適なものである。
【背景技術】
【０００２】
従来、複数のディスプレイ（画面）に同一の情報を同期して表示させる技術が提供されている。例えば、車室内の前座席側にフロント・ディスプレイを設けるとともに、後座席側にリア・ディスプレイを設け、ＤＶＤ（Digital Versatile Disk）等の再生映像を各ディスプレイに同期して表示させる技術が存在する。
【０００３】
また、最近では、一部の高級車において、車室内の前座席側に画面サイズが異なる複数のディスプレイを設置し、各ディスプレイに対してそれぞれ異なる情報を表示させるシステムが提供されている。例えば、図１１に示すように、各々ディスプレイを備えたコントローラ付きの車載機５０１，５０２を複数備え、各車載機５０１，５０２がインターネットを介してサーバ５０３からそれぞれ異なる情報を取得して表示させ、アイコンとして表示された操作子をユーザが操作して所望の制御を行えるように成されたシステムが提供されている。
【０００４】
図１１に示すシステムでは、車載機５０１，５０２の各ディスプレイに表示される情報は同期されておらず、それぞれのディスプレイに対して個別の独立した情報が表示されるようになっている。これに対して今後は、各ディスプレイに対して同種の情報（完全に同一ではないが、互いに関連する情報）を連動して表示させることも望まれる。例えば、インターネットを介して取得される同一のコンテンツについて、大画面のディスプレイには文字主体の情報を表示させ、小画面のディスプレイには操作子主体の情報を連動して表示させるといったニーズが存在する。
【０００５】
しかし、従来はこのようなニーズには対応できないという問題があった。すなわち、一方の車載機を操作して大画面のディスプレイに表示させる文字主体の情報を変えても、それに連動して、小画面のディスプレイに表示させる操作子主体の情報を変えることができなかった。そのため、他方の車載機においても、表示すべき操作子主体の情報を変えるための操作をしなければならなかった。
【０００６】
なお、映像、アニメーション、Ｗｅｂコンテンツ等の複数のコンテンツを、同期再生テーブルが記述されたシナリオに基づいて同期再生させる技術が提供されている（例えば、特許文献１参照）。しかしながら、この特許文献１に記載の技術は、１つのディスプレイに対して複数のコンテンツを同期して表示させることに関するものであり、複数のディスプレイに対して同種の情報を連動して表示させるといったニーズには対応できない。
【０００７】
また、特定の表示フォームを示すＩＤコードと、表示フォームに貼り付ける文字または画像データとにより画面表示データを構成する技術が存在する（例えば、特許文献２参照）。この特許文献２に記載の技術では、サーバから画面表示データを受信した携帯端末が、画面表示データからＩＤコードを抽出し、ＩＤコードにより特定される表示フォームを呼び出す。そして、表示フォームにより規定されるスタイルで文字または画像データを貼り付けた表示画面を作成してディスプレイに表示する。しかしながら、この特許文献２においても、複数のディスプレイに対して同種の情報を連動して表示させる仕組みは開示されていない。
【先行技術文献】
【特許文献】
【０００８】
【特許文献１】特開２００２−１２５２１４号公報
【特許文献２】特開２００５−１４１５４８号公報
【発明の概要】
【発明が解決しようとする課題】
【０００９】
本発明は、このような問題を解決するために成されたものであり、インターネットを介して取得される同一のコンテンツについて、複数のディスプレイに対して同種の情報を連動して表示させることができるようにすることを目的とする。
【課題を解決するための手段】
【００１０】
上記した課題を解決するために、本発明では、複数の電子機器の何れかよりコンテンツの取得要求が発生されたときに、インターネットに接続可能に成された電子機器を介して、取得要求に係るコンテンツについて複数の電子機器においてそれぞれ表示すべき、同一のコンテンツであるが、表示主体が異なる互いに関連する情報である同種の情報をそれぞれ取得するための複数の取得要求をそれぞれサーバに送信することにより、当該同種の情報をサーバから取得する情報取得部と、複数の電子機器が備える複数の情報表示部であって、各情報表示部が、情報取得部により取得された同種の情報の中から、自機器において表示すべき情報を取得して、自機器のディスプレイに表示させる複数の情報表示部とを備える。
【発明の効果】
【００１１】
上記のように構成した本発明によれば、複数の電子機器の何れかよりコンテンツの取得要求が発生されると、その取得要求が発生された電子機器に表示すべき情報だけでなく、他の電子機器においても関連して表示すべき同種の情報がサーバから取得される。そして、それらの同種の情報が、複数の電子機器においてそれぞれ取得されて表示されることとなる。
【００１２】
そのため、複数の電子機器の各ディスプレイに対して同種の情報を表示させるために、それぞれの電子機器においてコンテンツ取得要求のための操作を別々に行う必要がなくなる。すなわち、何れかの電子機器においてコンテンツの取得要求のための操作を行えば、当該コンテンツに関して表示すべき同種の情報を、複数の電子機器の各ディスプレイに対して連動して表示させることができる。
【図面の簡単な説明】
【００１３】
【図１】第１および第２の実施形態による画面表示制御システムの全体構成例を示す図である。
【図２】第１および第２の実施形態において車載機の各ディスプレイに表示する同種の情報の一例を示す図である。
【図３】第１の実施形態による車載機の機能構成例を示すブロック図である。
【図４】第１の実施形態において情報取得部が取得する同種の情報の一例を示す図である。
【図５】第１の実施形態において第１の車載機で文字主体コンテンツの取得要求が発生された場合の動作例を示すフローチャートである。
【図６】第１の実施形態において第２の車載機で操作子主体コンテンツの取得要求が発生された場合の動作例を示すフローチャートである。
【図７】第２の実施形態による車載機の機能構成例を示すブロック図である。
【図８】第２の実施形態において情報取得部が取得する統合情報の一例を示す図である。
【図９】第２の実施形態において用いる表示テンプレートの一例を示す図である。
【図１０】第２の実施形態において第２の車載機で操作子主体コンテンツの取得要求が発生された場合の動作例を示すフローチャートである。
【図１１】従来の画面表示制御システムの全体構成例を示す図である。
【発明を実施するための形態】
【００１４】
（第１の実施形態）
以下、本発明による第１の実施形態を図面に基づいて説明する。図１は、第１の実施形態による画面表示制御システムの全体構成例を示す図である。図１に示すように、第１の実施形態による画面表示制御システムは、各々ディスプレイを備えたコントローラ付きの車載機１０，２０（第１の車載機１０および第２の車載機２０）を備え、これら複数の車載機１０，２０どうしが車内ネットワークにより接続されている。
【００１５】
また、本実施形態では、第２の車載機２０には、携帯電話機３０が接続されている。第２の車載機２０は、携帯電話機３０が有する通信機能を利用して、インターネット４０を介してサーバ５０に接続可能に構成されている。車載機１０，２０は、第２の車載機２０によりインターネット４０を介してサーバ５０から取得した情報を、当該車載機１０，２０が備えるディスプレイにそれぞれ表示させるように成されている。
【００１６】
第２の車載機２０がサーバ５０から取得する情報は、同一のコンテンツに関して車載機１０，２０の各ディスプレイにそれぞれ表示すべき同種の情報（完全に同一ではないが、互いに関連する情報）である。例えば、第１の車載機１０は大画面のディスプレイを備え、当該大画面のディスプレイには文字主体の情報を表示させる。一方、第２の車載機２０は小画面のディスプレイを備え、当該小画面のディスプレイには操作子主体の情報を表示させる。
【００１７】
図２は、車載機１０，２０の各ディスプレイに表示する同種の情報の一例を示す図である。ここでは、車載機１０，２０の各ディスプレイに表示する同一のコンテンツとして、インターネットラジオに関するコンテンツを例示している。図２（ａ）は第１の車載機１０のディスプレイに表示される情報、図２（ｂ）は第２の車載機２０のディスプレイに表示される情報を示している。第１の車載機１０が備える大画面のディスプレイには文字主体の情報が表示されているが、最低限の操作アイコンも表示されている。第２の車載機２０が備える小画面のディスプレイには複数種類の操作アイコンを含む操作子主体の情報が表示されている。
【００１８】
図３は、第１の実施形態による車載機１０，２０の機能構成例を示すブロック図である。図３に示すように、第１の車載機１０は、その機能構成として、操作受付部１１、要求発生部１２、Ｉ／Ｆ部１３および情報表示部１４を備えている。また、第２の車載機２０は、その機能構成として、操作受付部２１、要求発生部２２、Ｉ／Ｆ部２３、通信部２４、情報取得部２５および情報表示部２６を備えている。
【００１９】
車載機１０，２０が備える各機能ブロックは、ハードウェア構成、ＤＳＰ、ソフトウェアの何れによっても実現することが可能である。例えばソフトウェアによって実現する場合、本実施形態の車載機１０，２０は、ＣＰＵあるいはＭＰＵ、ＲＡＭ、ＲＯＭ、ハードディスクなどを備えて構成され、ＲＯＭやハードディスクに記憶されたプログラムが動作することによって実現できる。
【００２０】
第１の車載機１０の操作受付部１１は、第１の車載機１０に対するユーザの操作を受け付ける。具体的には、操作受付部１１は、所望のコンテンツの取得要求のための操作を受け付ける。操作受付部１１は、コンテンツの取得要求のための操作を受け付けたときに、その旨を要求発生部１２に通知する。
【００２１】
要求発生部１２は、操作受付部１１が受け付けた操作に応じて、コンテンツ（具体的には、文字主体の情報）の取得要求を発生する。また、要求発生部１２は、第２の車載機２０からコンテンツ（具体的には、操作子主体の情報）の取得要求の発生通知がＩ／Ｆ部１３を介して送られてきたときに、コンテンツ（具体的には、文字主体の情報）の取得要求を発生する。そして、要求発生部１２は、発生したコンテンツ取得要求をＩ／Ｆ部１３に供給する。なお、以下では、文字主体の情報に関するコンテンツを「文字主体コンテンツ」、操作子主体の情報に関するコンテンツを「操作子主体コンテンツ」という。
【００２２】
Ｉ／Ｆ部１３は、第２の車載機２０との間で車内ネットワークを介して情報のやり取りを行う。例えば、Ｉ／Ｆ部１３は、要求発生部１２により発生された文字主体コンテンツの取得要求を第２の車載機２０に送信する。また、Ｉ／Ｆ部１３は、第２の車載機２０から送信されてくる操作子主体コンテンツの取得要求の発生通知を受信して要求発生部１２に供給する。また、Ｉ／Ｆ部１３は、第２の車載機２０から送信されてくる文字主体コンテンツを受信して情報表示部１４に供給する。
【００２３】
情報表示部１４は、第２の車載機２０からＩ／Ｆ部１３を介して送信されてくる文字主体コンテンツを取得し、第１の車載機１０が備える大画面のディスプレイ（図示せず）に表示させる。
【００２４】
第２の車載機２０の操作受付部２１は、第２の車載機２０に対するユーザの操作を受け付ける。具体的には、操作受付部２１は、所望のコンテンツの取得要求のための操作を受け付ける。操作受付部２１は、コンテンツの取得要求のための操作を受け付けたときに、その旨を要求発生部２２に通知する。
【００２５】
要求発生部２２は、操作受付部２１が受け付けた操作に応じて、操作子主体コンテンツの取得要求を発生する。そして、要求発生部２２は、発生した操作子主体コンテンツの取得要求を情報取得部２５に供給するとともに、操作子主体コンテンツの取得要求の発生通知をＩ／Ｆ部２３に供給する。また、要求発生部２２は、第１の車載機１０から文字主体コンテンツの取得要求がＩ／Ｆ部２３を介して送られてきたときに、操作子主体コンテンツの取得要求を発生する。そして、要求発生部２２は、発生した操作子主体コンテンツの取得要求を情報取得部２５に供給する。
【００２６】
Ｉ／Ｆ部２３は、第１の車載機１０との間で車内ネットワークを介して情報のやり取りを行う。例えば、Ｉ／Ｆ部２３は、要求発生部２２により操作子主体コンテンツの取得要求が発生されたときに、操作子主体コンテンツの取得要求の発生通知を第１の車載機１０に送信する。また、Ｉ／Ｆ部２３は、第１の車載機１０から送信されてくる文字主体コンテンツの取得要求を受信して要求発生部１２および情報取得部２５に供給する。また、Ｉ／Ｆ部２３は、通信部２４を介して情報取得部２５により取得された文字主体コンテンツを第１の車載機１０に送信する。
【００２７】
通信部２４は、携帯電話機３０の通信機能を利用して、インターネット４０に介してサーバ５０に対してコンテンツの取得要求を送信し、その要求に応じたコンテンツ（文字主体コンテンツおよび操作子主体コンテンツ）をサーバ５０から受信する。
【００２８】
情報取得部２５は、車載機１０，２０の何れかよりコンテンツの取得要求が発生されたときに、当該取得要求に係るコンテンツについて車載機１０，２０においてそれぞれ表示すべき同種の情報（文字主体コンテンツおよび操作子主体コンテンツ）を、通信部２４を介してサーバ５０から取得する。
【００２９】
図４は、情報取得部２５が取得する同種の情報の一例を示す図である。図４（ａ）が文字主体コンテンツ、図４（ｂ）が操作子主体コンテンツを示している。図４（ａ）に示す文字主体コンテンツは図２（ａ）の画面例に対応し、図４（ｂ）に示す操作子主体コンテンツは図２（ｂ）の画面例に対応している。
【００３０】
例えば、第２の車載機２０の要求発生部２２により操作子主体コンテンツの取得要求が発生された場合、それが情報取得部２５に供給されるとともに、操作子主体コンテンツの取得要求の発生通知がＩ／Ｆ部２３を介して第１の車載機１０に送信される。第１の車載機１０では、この発生通知に応じて要求発生部１２により文字主体コンテンツの取得要求が発生され、Ｉ／Ｆ部１３を介して第２の車載機２０に送信される。そして、それが情報取得部２５に供給される。
【００３１】
情報取得部２５は、第１の車載機１０から送られてきた文字主体コンテンツの取得要求と、第２の車載機２０の要求発生部２２により発生された操作子主体コンテンツの取得要求とを、通信部２４を介してサーバ５０に送信する。そして、その応答として、文字主体コンテンツおよび操作子主体コンテンツをサーバ５０から取得する。そして、取得した操作子主体コンテンツを情報表示部２６に供給するとともに、文字主体コンテンツをＩ／Ｆ部２３を介して第１の車載機１０に送信する。
【００３２】
また、第１の車載機１０の要求発生部１２により文字主体コンテンツの取得要求が発生された場合、それがＩ／Ｆ部１３を介して第２の車載機２０に送信され、Ｉ／Ｆ部２３から要求発生部２２および情報取得部２５に供給される。これに応じて、要求発生部２２により操作子主体コンテンツの取得要求が発生され、情報取得部２５に供給される。
【００３３】
情報取得部２５は、第１の車載機１０から送られてきた文字主体コンテンツの取得要求と、第２の車載機２０の要求発生部２２により発生された操作子主体コンテンツの取得要求とを、通信部２４を介してサーバ５０に送信する。そして、その応答として、文字主体コンテンツおよび操作子主体コンテンツをサーバ５０から取得する。そして、取得した操作子主体コンテンツを情報表示部２６に供給するとともに、文字主体コンテンツをＩ／Ｆ部２３を介して第１の車載機１０に送信する。
【００３４】
情報表示部２６は、情報取得部２５によりサーバ５０より取得された同種の情報に関するコンテンツの中から、第２の車載機２０において表示すべき操作子主体コンテンツを取得し、第２の車載機２０が備える小画面のディスプレイ（図示せず）に表示させる。
【００３５】
次に、上記のように構成した第１の実施形態による画面表示制御システムの動作を説明する。図５は、第１の車載機１０の要求発生部１２により文字主体コンテンツの取得要求が発生された場合の動作例を示すフローチャートである。なお、図５に示すフローチャートは、第１の車載機１０の操作受付部１１において文字主体コンテンツの取得要求のための操作を受け付けたときに開始する。
【００３６】
まず、要求発生部１２は、文字主体コンテンツの取得要求を発生し（ステップＳ１）、Ｉ／Ｆ部１３に供給する。Ｉ／Ｆ部１３は、要求発生部１２より供給された文字主体コンテンツの取得要求を第２の車載機２０に送信する（ステップＳ２）。なお、この文字主体コンテンツの取得要求には、要求主体である第１の車載機１０を識別するための識別情報が含まれている。
【００３７】
第２の車載機２０では、第１の車載機１０から送信された文字主体コンテンツの取得要求をＩ／Ｆ部２３で受信する。Ｉ／Ｆ部２３は、受信した文字主体コンテンツの取得要求を要求発生部２２および情報取得部２５に供給する。これに応じて、要求発生部２２は、操作子主体コンテンツの取得要求を発生し（ステップＳ３）、情報取得部２５に供給する。なお、この操作子主体コンテンツの取得要求には、要求主体である第２の車載機２０を識別するための識別情報が含まれている。
【００３８】
情報取得部２５は、通信部２４を介して、第１の車載機１０から送られてきた文字主体コンテンツの取得要求をサーバ５０に送信するとともに（ステップＳ４）、第２の車載機２０の要求発生部２２により発生された操作子主体コンテンツの取得要求をサーバ５０に送信する（ステップＳ５）。サーバ５０は、これらの取得要求に対する応答として、文字主体コンテンツを第２の車載機２０に送信するとともに（ステップＳ６）、操作子主体コンテンツを第２の車載機２０に送信する（ステップＳ７）。なお、サーバ５０が送信するコンテンツには、コンテンツの取得要求に含まれていた要求主体の識別情報が付随している。
【００３９】
第２の車載機２０では、情報取得部２５が、サーバ５０から受信した同種の情報に関するコンテンツのうち、第１の車載機１０において表示すべき文字主体コンテンツをＩ／Ｆ部２３を介して第１の車載機１０に送信する（ステップＳ８）。第１の車載機１０に送信すべき文字主体コンテンツは、これに付随している要求主体の識別情報に基づいて判定することが可能である。
【００４０】
第２の車載機２０では、情報表示部２６が、情報取得部２５によりサーバ５０から取得された同種の情報に関するコンテンツのうち、第２の車載機１０において表示すべき操作子主体コンテンツを取得してディスプレイに表示させる（ステップＳ９）。第２の車載機２０にて表示すべき操作子主体コンテンツは、これに付随している要求主体の識別情報に基づいて判定することが可能である。
【００４１】
一方、第１の車載機１０では、情報表示部１４が、第２の車載機２０から送信された文字主体コンテンツを取得してディスプレイに表示させる（ステップＳ１０）。これにより、図５に示すフローチャートの処理は終了する。
【００４２】
図６は、第２の車載機２０の要求発生部２２により操作子主体コンテンツの取得要求が発生された場合の動作例を示すフローチャートである。なお、図６に示すフローチャートは、第２の車載機２０の操作受付部２１において操作子主体コンテンツの取得要求のための操作を受け付けたときに開始する。
【００４３】
まず、要求発生部２２は、操作子主体コンテンツの取得要求を発生し（ステップＳ１１）、Ｉ／Ｆ部２３および情報取得部２５に供給する。情報取得部２５は、通信部２４を介して、操作子主体コンテンツの取得要求をサーバ５０に送信する（ステップＳ１２）。また、Ｉ／Ｆ部２３は、操作子主体コンテンツの取得要求の発生通知を第１の車載機１０に送信する（ステップＳ１３）。
【００４４】
サーバ５０は、第２の車載機２０から送られてきた操作子主体コンテンツの取得要求に対する応答として、操作子主体コンテンツを第２の車載機２０に送信する（ステップＳ１４）。第２の車載機２０では、情報取得部２５が、サーバ５０から送信された操作子主体コンテンツを通信部２４を介して取得する。そして、情報表示部２６が、情報取得部２５により取得された操作子主体コンテンツをディスプレイに表示させる（ステップＳ１５）。
【００４５】
第１の車載機１０では、第２の車載機２０から送信された操作子主体コンテンツの取得要求の発生通知をＩ／Ｆ部１３にて受信し、要求発生部１２に供給する。この通知を受けて要求発生部１２は、文字主体コンテンツの取得要求を発生し、Ｉ／Ｆ部１３に供給する（ステップＳ１６）。Ｉ／Ｆ部１３は、要求発生部１２により発生された文字主体コンテンツの取得要求を第２の車載機２０に送信する（ステップＳ１７）。
【００４６】
第２の車載機２０では、第１の車載機１０から送信された文字主体コンテンツの取得要求をＩ／Ｆ部２３にて受信し、情報取得部２５に供給する。情報取得部２５は、通信部２４を介して、文字主体コンテンツの取得要求をサーバ５０に送信する（ステップＳ１８）。サーバ５０は、この取得要求に対する応答として、文字主体コンテンツを第２の車載機２０に送信する（ステップＳ１９）。
【００４７】
第２の車載機２０では、サーバ５０から送信された文字主体コンテンツをＩ／Ｆ部２３にて受信し、情報取得部２５に供給する。情報取得部２５は、当該文字主体コンテンツを、Ｉ／Ｆ部２３を介して第１の車載機１０に送信する（ステップＳ２０）。第１の車載機１０では、情報表示部１４が、第２の車載機２０から送信された文字主体コンテンツを取得してディスプレイに表示させる（ステップＳ２１）。これにより、図６に示すフローチャートの処理は終了する。
【００４８】
以上詳しく説明したように、第１の実施形態では、複数の車載機１０，２０の何れかよりコンテンツの取得要求が発生されたときに、複数の車載機１０，２０においてそれぞれ表示すべき同種の情報（文字主体コンテンツおよび操作子主体コンテンツ）を情報取得部２５がサーバ５０から個別に取得する。そして、情報表示部１４，２６が、情報取得部２５により取得された同種の情報の中から、車載機１０，２０がそれぞれ自機器において表示すべき情報を取得してディスプレイに表示させるようにしている。
【００４９】
このように構成した第１の実施形態によれば、複数の車載機１０，２０の何れかよりコンテンツの取得要求が発生されると、その取得要求が発生された車載機に表示すべき情報だけでなく、他の車載機においても関連して表示すべき同種の情報がサーバ５０から情報取得部２５により取得される。そして、それらの同種の情報が、複数の車載機１０，２０における情報表示部１４，２６においてそれぞれ取得されてディスプレイに表示されることとなる。
【００５０】
そのため、複数の車載機１０，２０の各ディスプレイに対して同種の情報を表示させるために、それぞれの車載機１０，２０においてコンテンツ取得要求のための操作を別々に行う必要がなくなる。すなわち、何れかの車載機１０，２０においてコンテンツの取得要求のための操作を行えば、当該コンテンツに関して表示すべき同種の情報を、複数の車載機１０，２０の各ディスプレイに対して連動して表示させることができる。
【００５１】
（第２の実施形態）
次に、本発明による第２の実施形態を図面に基づいて説明する。第２の実施形態による画面表示制御システムの全体構成は、図１と同様である。図７は、第２の実施形態による車載機１０，２０の機能構成例を示すブロック図である。なお、この図７において、図３に示した符号と同一の符号を付したものは同一の機能を有するものであるので、ここでは重複する説明を省略する。
【００５２】
図７に示すように、第１の車載機１０は、その機能構成として、操作受付部１１、要求発生部１０２、Ｉ／Ｆ部１０３、情報表示部１０４およびテンプレート記憶部１０５を備えている。また、第２の車載機２０は、その機能構成として、操作受付部２１、要求発生部２０２、Ｉ／Ｆ部２０３、通信部２０４、情報取得部２０５、情報表示部２０６およびテンプレート記憶部２０７を備えている。
【００５３】
第１の車載機１０の要求発生部１０２は、操作受付部１１が受け付けた操作に応じて、文字主体コンテンツの取得要求を発生する。第２の実施形態では、第１の車載機１０から操作子主体コンテンツの取得要求の発生通知は送られてこないので、要求発生部１０２は、当該発生通知に応じて文字主体コンテンツの取得要求を発生する処理は行わない。
【００５４】
Ｉ／Ｆ部１０３は、第２の車載機２０との間で車内ネットワークを介して情報のやり取りを行う。例えば、Ｉ／Ｆ部１０３は、要求発生部１０２により発生された文字主体コンテンツの取得要求を第２の車載機２０に送信する。また、Ｉ／Ｆ部１０３は、第２の車載機２０から送信されてくる統合情報（詳しくは後述する）を受信して情報表示部１０４に供給する。
【００５５】
情報表示部１０４は、第２の車載機２０からＩ／Ｆ部１０３を介して送信されてくる統合情報の中から、第１の車載機１０が自機器において文字主体コンテンツとして表示すべき共通情報および個別情報を取得する。そして、当該共通情報および個別情報から成る文字主体コンテンツを、第１の車載機１０が備える大画面のディスプレイに表示させる。
【００５６】
ここで、共通情報とは、複数の車載機１０，２０においてそれぞれ表示すべき同種の情報（文字主体コンテンツおよび操作子主体コンテンツ）のうち、複数の車載機１０，２０において共通に表示される部分の情報をいう。つまり、文字主体コンテンツおよび操作子主体コンテンツの両コンテンツにおいて共通に表示される部分の情報をいう。
【００５７】
また、個別情報とは、複数の車載機１０，２０においてそれぞれ表示すべき同種の情報（文字主体コンテンツおよび操作子主体コンテンツ）のうち、共通情報以外の部分の情報をいう。さらに、統合情報とは、複数の車載機１０，２０においてそれぞれ表示すべき同種の情報で、上述の共通情報とそれぞれの個別情報とを識別可能な態様で１つにまとめて統合した情報である。
【００５８】
図８は、統合情報の一例を示す図である。図８において、符号８１で示す部分が、文字主体コンテンツおよび操作子主体コンテンツに対する共通情報である。符号８２で示す部分が、文字主体コンテンツに対する個別情報である。符号８３で示す部分が、操作子主体コンテンツに対する個別情報である。
【００５９】
図８の例では、統合情報をＪＳＯＮ（JavaScript Object Notation）形式のデータで表現している。すなわち、図８に示す統合情報は、特定の表示テンプレートを示すＩＤコード８０と、共通情報８１および個別情報８２，８３とにより構成されている。図８の例では、ＩＤコード[1]の表示テンプレートと、ＩＤコード[2]の表示テンプレートとを用いることが示されている。
【００６０】
図８に示すＪＳＯＮ形式のデータにおいて、共通情報８１および個別情報８２，８３のそれぞれは、[]の階層で識別することが可能である。すなわち、第１階層の[]で括られている部分が共通情報８１であり、第２階層の[]で括られている部分が個別情報８２，８３である。ＩＤコード８０の記述順と個別情報８２，８３の記述順とは一致している。すなわち、１つ目のＩＤコード[1]は１つ目の個別情報８２に対応し、２つ目のＩＤコード[2]は２つ目の個別情報８３に対応している。
【００６１】
図９は、表示テンプレートの一例を示す図である。図９（ａ）がＩＤコード[1]の表示テンプレートを示し、図９（ｂ）がＩＤコード[2]の表示テンプレートを示している。なお、ＩＤコード[1]の表示テンプレートは、図２（ａ）に示す文字主体コンテンツの画面例に対応し、ＩＤコード[2]の表示テンプレートは、図２（ｂ）に示す操作子主体コンテンツの画面例に対応している。これらの表示テンプレートは、テンプレート記憶部１０５にあらかじめ記憶されている。
【００６２】
上述の情報表示部１０４は、図８に示す統合情報から自機器のＩＤコード[1]を抽出し、当該ＩＤコード[1]により特定される表示テンプレート（図９（ａ）に示すもの）をテンプレート記憶部１０５から読み出す。そして、当該表示テンプレートにより規定されるスタイルで、共通情報８１および個別情報８２を貼り付けた表示画面を作成してディスプレイに表示させる。
【００６３】
第２の車載機２０の要求発生部２０２は、操作受付部２１が受け付けた操作に応じて、操作子主体コンテンツの取得要求を発生する。そして、要求発生部２０２は、発生した操作子主体コンテンツの取得要求を情報取得部２０５に供給する。第２の実施形態では、要求発生部２０２は、第１の車載機１０から文字主体コンテンツの取得要求がＩ／Ｆ部２３を介して送られてきても、操作子主体コンテンツの取得要求を発生する処理は行わない。
【００６４】
Ｉ／Ｆ部２０３は、第１の車載機１０との間で車内ネットワークを介して情報のやり取りを行う。例えば、Ｉ／Ｆ部２０３は、第１の車載機１０から送信されてくる文字主体コンテンツの取得要求を受信して情報取得部２０５に供給する。また、Ｉ／Ｆ部２０３は、通信部２０４を介して情報取得部２０５により取得された統合情報を第１の車載機１０に送信する。
【００６５】
通信部２０４は、携帯電話機３０の通信機能を利用して、インターネット４０を介してサーバ５０に対してコンテンツの取得要求を送信し、その応答として統合情報をサーバ５０から受信する。第２の実施形態では、第１の車載機１０により発生された文字主体コンテンツの取得要求をサーバ５０に送信するときも、第２の車載機２０により発生された操作子主体コンテンツの取得要求をサーバ５０に送信するときも、その応答として統合情報をサーバ５０から受信する。
【００６６】
情報取得部２０５は、車載機１０，２０の何れかよりコンテンツの取得要求が発生されたときに、当該取得要求を通信部２０４を介してサーバ５０に送信する。そして、情報取得部２０５は、コンテンツの取得要求を送信したことの応答として、当該取得要求に係るコンテンツについて車載機１０，２０においてそれぞれ表示すべき同種の情報（文字主体コンテンツおよび操作子主体コンテンツ）を１つにまとめた統合情報を、通信部２０４を介してサーバ５０から取得する。情報取得部２０５は、取得した統合情報を情報表示部２０６に供給するとともに、Ｉ／Ｆ部２０３を介して第１の車載機１０に送信する。
【００６７】
情報表示部２０６は、情報取得部２０５によりサーバ５０より取得された統合情報の中から、第２の車載機２０が自機器において操作子主体コンテンツとして表示すべき共通情報および個別情報を取得する。そして、当該共通情報および個別情報から成る操作子主体コンテンツを、第２の車載機２０が備える小画面のディスプレイに表示させる。
【００６８】
具体的には、情報表示部２０６は、図８に示す統合情報から自機器のＩＤコード[2]を抽出し、当該ＩＤコード[2]により特定される表示テンプレート（図９（ｂ）に示すもの）をテンプレート記憶部２０７から読み出す。そして、当該表示テンプレートにより規定されるスタイルで、共通情報８１および個別情報８３を貼り付けた表示画面を作成してディスプレイに表示させる。なお、テンプレート記憶部２０７にも、テンプレート記憶部１０５と同様の表示テンプレートがあらかじめ記憶されている。
【００６９】
なお、図９（ｂ）に示すＩＤコード[2]の表示テンプレートでは、貼り付けるべき文字列を表すコードは「value 0」だけである。したがって、図８に示す共通情報８１のうち、表示テンプレートに実際に貼り付けられるのは、「value 0」に該当する“Have a nice day.”という文字列だけとなる。
【００７０】
次に、上記のように構成した第２の実施形態による画面表示制御システムの動作を説明する。図１０は、第２の車載機２０の要求発生部２０２により操作子主体コンテンツの取得要求が発生された場合の動作例を示すフローチャートである。なお、図１０に示すフローチャートは、第２の車載機２０の操作受付部２１において操作子主体コンテンツの取得要求のための操作を受け付けたときに開始する。
【００７１】
まず、要求発生部２０２は、操作子主体コンテンツの取得要求を発生し（ステップＳ３１）、情報取得部２０５に供給する。情報取得部２０５は、通信部２０４を介して、操作子主体コンテンツの取得要求をサーバ５０に送信する（ステップＳ３２）。
【００７２】
サーバ５０は、第２の車載機２０から送られてきた操作子主体コンテンツの取得要求に対する応答として、車載機１０，２０において表示すべき同種の情報（文字主体コンテンツおよび操作子主体コンテンツ）を１つにまとめた統合情報を第２の車載機２０に送信する（ステップＳ３３）。第２の車載機２０では、情報取得部２５が、サーバ５０から送信された統合情報を取得し、Ｉ／Ｆ部２０３を介して第１の車載機１０に送信する（ステップＳ３４）。
【００７３】
また、第２の車載機２０では、情報表示部２０６が、情報取得部２０５によりサーバ５０から取得された統合情報から自機器のＩＤコード[2]を抽出し、当該ＩＤコード[2]により特定される表示テンプレートをテンプレート記憶部２０７から読み出す。そして、第２の車載機２０が自機器において操作子主体コンテンツとして表示すべき共通情報８１および個別情報８３を統合情報から取得し、これらを表示テンプレートにより規定されるスタイルで貼り付けた表示画面を作成してディスプレイに表示させる（ステップＳ３５）。
【００７４】
また、第１の車載機１０では、第２の車載機２０から送信された統合情報から自機器のＩＤコード[1]を抽出し、当該ＩＤコード[1]により特定される表示テンプレートをテンプレート記憶部１０５から読み出す。そして、第１の車載機１０が自機器において文字主体コンテンツとして表示すべき共通情報８１および個別情報８２を統合情報から取得し、これらを表示テンプレートにより規定されるスタイルで貼り付けた表示画面を作成してディスプレイに表示させる（ステップＳ３６）。これにより、図１０に示すフローチャートの処理は終了する。
【００７５】
なお、ここでは図示を省略するが、第１の車載機１０の要求発生部１０２により文字主体コンテンツの取得要求が発生された場合の動作は、当該文字主体コンテンツの取得要求が第２の車載機２０を介してサーバ５０に送信されること以外の点において、図１０に示すフローチャートの動作と同様である。
【００７６】
以上詳しく説明したように、第２の実施形態では、複数の車載機１０，２０の何れかよりコンテンツの取得要求が発生されたときに、複数の車載機１０，２０においてそれぞれ表示すべき同種の情報を１つにまとめた統合情報を情報取得部２０５がサーバ５０から取得する。そして、情報表示部１０４，２０６が、情報取得部２０５により取得された統合情報の中から、車載機１０，２０がそれぞれ自機器において表示すべき共通情報および個別情報を取得し、それらを表示テンプレートに貼り付けてディスプレイに表示させるようにしている。
【００７７】
このように構成した第２の実施形態においても、第１の実施形態と同様、何れかの車載機１０，２０においてコンテンツの取得要求のための操作を行えば、当該コンテンツに関して表示すべき同種の情報を、複数の車載機１０，２０の各ディスプレイに対して連動して表示させることができる。
【００７８】
また、第２の実施形態によれば、第１の車載機１０で文字主体コンテンツの取得要求が発生した場合も、第２の車載機２０で操作子主体コンテンツの取得要求が発生した場合も、文字主体コンテンツと操作子主体コンテンツとを殆どタイムラグなく、第１の車載機１０と第２の車載機２０の各ディスプレイに同期して表示させることができる。
【００７９】
すなわち、上述した第１の実施形態では、図６のフローチャートで示したように、第２の車載機２０で操作子主体コンテンツの取得要求が発生した場合には、ステップＳ１５で第２の車載機２０に操作子主体コンテンツが表示されてから、ステップＳ２１で第１の車載機１０に文字主体コンテンツが表示されるまでの間に、表示タイミングの遅れが生じる。これは、第２の車載機２０から別々のタイミングで別々にコンテンツ取得要求をサーバ５０に送信し、別々に送られてくる文字主体コンテンツと操作子主体コンテンツとをそれぞれ車載機１０，２０において表示しているからである。
【００８０】
これに対して、第２の実施形態では、第２の車載機２０からサーバ５０にコンテンツ取得要求を送信するのは１回だけであり、その応答としてサーバ５０から送信されてくるのは統合情報の１つだけである。車載機１０，２０では、この１つの統合情報から自機器に必要な情報だけを抽出して表示画面を作成しているので、文字主体コンテンツと操作子主体コンテンツとを殆どタイムラグなく車載機１０，２０に表示させることができる。
【００８１】
また、第２の実施形態では、文字主体コンテンツと操作子主体コンテンツとを別々に送信する第１の実施形態と比べて、サーバ５０から送られるデータ量を削減することができるというメリットも有する。すなわち、サーバ５０から送信するのは統合情報の１つだけでよく、しかもそのデータ量は、文字主体コンテンツと操作子主体コンテンツとを合わせたデータ量よりも少なくなっている。
【００８２】
なお、上記実施形態では、画面表示制御システムを構成する電子機器の例として車載機１０，２０を挙げて説明したが、本発明はこれに限定されない。すなわち、複数のディスプレイに同種の情報を連動させて表示させるものであれば、車載機１０，２０以外の電子機器にも適用することが可能である。
【００８３】
また、上記実施形態では、複数のディスプレイに表示するコンテンツの例としてインターネットラジオを挙げて説明したが、本発明はこれに限定されない。また、上記実施形態では、同種の情報として、文字主体コンテンツと操作子主体コンテンツとを例に挙げて説明したが、本発明はこれに限定されない。
【００８４】
また、上記第２の実施形態では、ＪＳＯＮ形式のデータによって統合情報を構成する例について説明したが、本発明はこれに限定されない。すなわち、複数の電子機器において共通に表示される共通情報と、複数の電子機器においてそれぞれ個別に表示される個別情報と識別可能に成された情報であれば、ＪＳＯＮ形式以外の形式であってもよい。
【００８５】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００８６】
１０  第１の車載機
２０  第２の車載機
５０  サーバ
１４，１０４  情報表示部
２５，２０５  情報取得部
２６，２０６  情報表示部
１０５，２０７  テンプレート記憶部
【図１】
0005818353.tif 000002
【図２】
0005818353.tif 000003
【図３】
0005818353.tif 000004
【図４】
0005818353.tif 000005
【図５】
0005818353.tif 000006
【図６】
0005818353.tif 000007
【図７】
0005818353.tif 000008
【図８】
0005818353.tif 000009
【図９】
0005818353.tif 000010
【図１０】
0005818353.tif 000011
【図１１】
0005818353.tif 000012